【事件の表示】
　上記当事者間の登録第９７１８２０号商標の登録取消審判事件について、次のとおり審決する。
【結　論】
　本件審判の請求は、成り立たない。
　審判費用は、請求人の負担とする。
【理　由】
第１　本件商標
　本件登録第９７１８２０号商標（以下「本件商標」という。）は、「ＬＥ　ＭＡＮＳ」の欧文字を横書きしてなり、昭和４２年１月２５日に登録出願、第１７類に属する商標登録原簿記載の商品を指定商品として同４７年７月１３日に設定登録され、その後、４回にわたり商標権の存続期間の更新登録がされ、また、平成１５年８月２７日に指定商品を第２４類「布製身の回り品，かや，敷布，布団，布団カバー，布団側，まくらカバー，毛布」及び第２５類「洋服，コート，セーター類，ワイシャツ類，寝巻き類，下着，水泳着，水泳帽，エプロン，襟巻き，靴下，ショール，スカーフ，手袋，ネクタイ，ネッカチーフ，バンダナ，保温用サポーター，マフラー，耳覆い，ずきん，すげがさ，ナイトキャップ，ヘルメット，帽子」とする指定商品の書換登録がされているものである。
　なお、本件審判の請求の登録は、平成２６年１１月２７日である。
第２　請求人の主張の要点
　請求人は、本件商標の指定商品中、第２５類「寝巻き類，下着，水泳着，水泳帽，エプロン，襟巻き，靴下，ショール，スカーフ，手袋，ネクタイ，ネッカチーフ，バンダナ，保温用サポーター，マフラー，耳覆い，ずきん，すげがさ，ナイトキャップ，ヘルメット，帽子」についての登録を取り消す、審判費用は被請求人の負担とする、との審決を求め、その理由及び被請求人の答弁に対する弁駁の理由を要旨以下のように述べ、証拠方法として甲第１号証ないし甲第８号証を提出している。
１　請求の理由
　本件商標は、その指定商品中、上記の商品について、継続して３年以上日本国内において商標権者、専用使用権者又は通常使用権者のいずれも使用した事実が存しないから、商標法第５０条第１項の規定により、その登録を取り消すべきものである。
２　弁駁の理由
　被請求人は、「審判事件答弁書」において、本件商標権者（被請求人）から使用許諾を受けた通常使用権者である「株式会社フィールドハウス」は、請求に係る指定商品中、「ネクタイ」について本件商標を使用しているとし、証拠方法として乙第１号証ないし乙第１０号証を提出している。
（１）被請求人の提出した上記の乙各号証によっては、本件商標を本件審判請求の予告登録前３年以内に、日本国内において、請求に係る指定商品中の何れについても使用していたものとは認められない主な理由は、ア　調査会社を通じて事前に使用状況を調査したが、過去３年間使用の事実を発見できなかった。　イ　乙第９号証以外の証拠によっては、実際に商取引の場に供された事実が証明されていない、の２点である。
（２）以下、上記ア及びイについて、詳述する。
　ア　本件審判の請求前の事前調査について
　請求人は、本件審判を請求するに当たり、調査会社を通じて被請求人（本件商標権者）ケントジャパン株式会社のほか、株式会社ヴァンヂャケット、その他関連会社に対し、過去３年内に本件商標「ＬＥ　ＭＡＮＳ」が、本件審判の請求商品に使用されていたか否かの調査を行った。その調査内容及び調査結果の概要は，以下のとおりである（甲４）。
　（ア）２０１４年１０月９日及び１０月２２日におけるケントジャパン株式会社（台東区蔵前）の対応者、Ｓ氏は、次のとおり見解を述べている。
　ａ　「ＬＥ　ＭＡＮＳ」は，当社が保有するブランドである。
　ｂ　以前は、衣服類に使用していたが、今は衣服類では使用していない。
　ｃ　衣服類には使用していないが、雑貨類等で例えば、イトーヨーカ堂の店舗で「ＬＥ　ＭＡＮＳ」の物を販売している。
　ｄ　ライセンシーは言えない。
　ｅ　先行き、「雑貨類」やその他の商品も復活させる用意がある。
　（イ）２０１４年１０月２３日におけるＫｅｎｔ　イトーヨーカドー木場店（東京都江東区木場）の対応者、Ｅ氏は、「過去３年間の仕入れ台帳、販売台帳を精査した結果、『ＬＥ　ＭＡＮＳ』の文字を使用したブランド、名称として使用した商品の取り扱いはない。」と見解を述べている。
　（ウ）２０１４年１０月２３日におけるＫｅｎｔイトーヨーカドー湘南台店（神奈川県藤沢市石川）の対応者、Ｓ氏は、Ｅ氏と同様に「過去３年間の仕入れ台帳、販売台帳を精査した結果、『ＬＥＭＡＮＳ』の文字を使用したブランド、名称として使用した商品の取り扱いはない。」と見解を述べている。
　（エ）２０１４年１０月１５日における株式会社ヴァンヂャケット（台東区蔵前）の対応者、Ｋ氏は、「確かに何十年も前に『ルマン』、『ＬＥ　ＭＡＮＳ』ブランドの衣服類を取り扱っていたが、当社のラインアップからはずれ、何十年も前から、このブランドは取り扱っていない。」との見解であった。
　なお、Ｋ氏は、旧（株）ヴァンヂャケットの取締役であった人物であり、現在は、新（株）ヴァンヂャケットの取締役からは外れているが、隆盛を極めたヴァンヂャケット及びヴァンヂャケットが保有していたブランドに精通している人物であり、現在のＶＡＮオンラインストアの責任者ともなっていて、昔からのヴァンヂャケットが保有していたブランドに詳しい人物である。
　（オ）過去に「ＬＥ　ＭＡＮＳ」ブランドの商品を取り扱ったことのある企業４社についても調査を行ったところ、何れも過去３年間に使用したことはない、と述べている。
　（カ）その他、株式会社ケントジャパンの公式ホームページ、株式会社ヴァンヂャケットのホームページ、オンラインストア、及び一般サイト検索によっても、本件商標の使用は認められなかった。
　（キ）以上のとおり、本件審判請求前の使用状況調査によれば、本件商標「ＬＥ　ＭＡＮＳ」商標は、その取消しに係る指定商品の何れにも過去３年間使用されていた事実は、発見できなかった。
　イ　被請求人の提出した乙各号証のうち、実際に商取引の対象として流通に供されたことを立証する証拠は、乙第９号証のみであり、それ以外の証拠は、実際に商取引の場に供された事実を証明するものではないことについて
　商標法第５０条第１項及び同法第２条第３項第１号、第２号及び第８号の規定における「商品」とは、現に流通している商品を意味し、現に流通していない商品は、これらの規定における「商品」には該当しないものというべきである。
　したがって、単に商品の販売の準備を行っていたことを窺わせる証拠等を提出したとしても、これらが登録商標を現実に使用したことを立証するものではない。（甲６ないし８）
　そこで、被請求人の提出した乙各号証によれば、これらは何れも商品販売のための準備行為に係る書類であるから、当該商品が市場において独立して商取引の対象として流通に供され、かつ、商標法第２条３項、第４項所定の行為がなされていたことを何ら立証したものではない。
　なお、乙第９号証は、使用権者である株式会社フィールドハウスからイトーヨーカドーカワゴエ店宛に商品が納品されたことを窺わせる「納品書（控）」であるから、一応、イトーヨーカドーカワゴエ店宛に商品が納品、譲渡されたともいえる。
　しかしながら、乙第９号証「納品書（控）」は、本件審判請求前の使用調査の内容からも、また、「納品書（控）」の作成者が被請求人の関連会社である株式会社フィールドハウスであること等からしても、実際の商品の譲渡・販売があったことを客観的に裏付ける証拠とはなり得ない。
　例えば、実際に商品の納品が行われたのであれば、商取引が行われたことを立証する「商品受領書」、「請求書」、「代金支払書」等の証拠が提出されるべきであるが、これらは一切、提出されていない。
　したがって、単に乙第９号証の「納品書（控）」のみの証拠をもって、「ネクタイ」が実際に納品、譲渡されたのか否かは極めて疑わしい。
　以下、乙各号証について、詳述する。
　（ア）乙第１号証「委託商品発注書」
　乙第１号証は、２０１４年２月６日付けのイトーヨーカ堂から株式会社フィールドハウス宛「委託商品発注書」であるが、単に、委託者が商品の製造を発注したことを証明するにすぎないものである。
　（イ）乙第２号証「統合商品マスター登録用紙」
　乙第２号証は、委託者であるイトーヨーカドーの「統合商品マスター登録用紙」である。
　（ウ）乙第３号証「商標使用権契約書」
　乙第３号証は、２０１３年１２月１日付けで締結された本件商標権者と株式会社フィールドハウスとの「商標使用権契約書」であり、上記契約の期間は、２０１３年１２月１日２０１４年１１月３０日となっている。
　（エ）乙第４号証「メールの記録」
　乙第４号証は、会社フィールドハウスの安住氏から株式会社テスートの砂金氏宛のブランドネーム及び下げ札の依頼メールである。
　なお、日付は２０１３年１２月４日付けであるが、テスートの砂金氏から安住氏宛のメールは、１年後の２０１４年１２月３日となっている。
　（オ）乙第５号証「発注書」
　乙第５号証は、２０１３年１２月７日付けの株式会社フィールドハウスから株式会社テスートヘの「発注書」であり、フィールドハウスが商品の製造のために発注したことを証明するにすぎないものである。
　（カ）乙第６号証「受注証明書」
　乙第６号証は、株式会社テスートが株会社フィールドハウスから「ネクタイ」を５０００本受注したことの証明書である。
　（キ）乙第７号証「ネクタイの写真」
　乙第７号証は、「ＬＥ　ＭＡＮＳ」の下げ札を付したネクタイの写真であるが、撮影日は、２０１５年１月１３日で要証期間後のものであるから、証拠価値はない。
　（ク）乙第８号証「請求書」
　乙第８号証は、平成２６年２月２８日付けの株式会社テスートから株式会社フィールドハウス宛の請求書である。
　以上の乙第１号証ないし乙第８号証は、何れも商品販売のための準備行為に係る書類であり、当該商品が市場において独立して商取引の対象として流通に供され、かつ、商標法第２条３項、第４項所定の行為がなされていたことを何ら立証したものではない。
　（ケ）乙第９号証「納品書（控）」
　乙第９号証は、株式会社フィールドハウスからイトーヨーカドーカワゴエ店宛の「納品書（控）」であり、「発注日」の欄に「１４０２１１」、「納品日」の欄に「１４０２２０」との記載があるから、一応、２０１４年２月１１日に発注を受け、２０１４年２月２０日に納品したことが窺われる。
　なお、１枚目の前段は商品名の記載欄に「メンスクラブ」と読めるが、後段の商品名は不明である。また、２枚目及び３枚目は、商品蘭に「Ｅルマン」と記載されているから、一応「ＬＥ　ＭＡＮＳ」ブランドの「ネクタイ」が納品されたことを窺わせる。
　ただし、上記は「納品の事実」を窺わせるだけで、例えば、納品後の「受領書」、「請求書」等が提出されない限り、実際に商取引があったかは確認できないものである。
　（コ）乙第１０号証「ライセンス商品売上報告書」
　乙第１０号証は、平成２６年１２月５日付けで使用権者である株式会社フィールドハウスがパソコン等で作成した「ライセンス商品売上報告書」であるが、このようなものは簡単にパソコンで作成できるものであるし、しかも要証期間経過後の作成に係るものであるから、客観性に乏しいものである。
　ウ　まとめ
　以上のとおり、被請求人の提出した乙第１号証ないし乙第１０号証によっては、要証期間内に本件商標を付したネクタイが市場において独立して商取引の対象として流通に供され、かつ、商標法第２条３項、第４項所定の行為がなされていたことを何ら立証したものとはいえない。
　よって、本件の商標権者又は使用権者は、本件審判請求の登録前３年以内に日本国内において、本件商標を本件審判請求の取消しに係る何れの指定商品についても使用していたものと認めることはできない。
第３　被請求人の答弁の要点
　被請求人は、結論同旨の審決を求め、その理由を要旨以下のように述べ、証拠方法として乙第１号証ないし乙第１０号証を提出した。
　本審判請求の登録前３年以内に日本国内において商標権者である被請求人から許諾を受けた通常使用権者である株式会社フィールドハウスが、その請求に係る指定商品のうち、ネクタイについての本登録商標を使用している事実を立証する。以下、詳しく説明する。
１　２０１３年１１月頃に、株式会社イトーヨーカ堂から株式会社フィールドハウス対し２０１４年の春物として「ＬＥ　ＭＡＮＳ」ブランドのネクタイ５，０００本について委託生産の依頼があった。なお、株式会社イトーヨーカ堂から株式会社フィールドハウスに対する発注書（乙１）や株式会社イトーヨーカ堂のデータベース（乙２）では、２０１４年２月６日あるいは２０１４年２月４日となっている。
２　株式会社イトーヨーカ堂から上記委託生産の依頼を受けた株式会社フィールドハウスは、被請求人であるケントジャパン株式会社から２０１３年１２月１日に本件商標の指定商品中「ネクタイ」について通常使用権の許諾を受けた（乙３）。なお、株式会社フィールドハウスは、ケントジャパン株式会社の関連会社である。
３　そして株式会社フィールドハウスは、株式会社テスートに対し「ＬＥ　ＭＡＮＳ」ブランドのネクタイ５，０００本についての生産を依頼した。
　詳しくは、当該ネクタイに付す織りネーム及び当該ネクタイを販売する際に付す下げ札の作成を、株式会社フィールドハウスの安住氏は株式会社テスートの砂金氏に２０１３年１２月４日に依頼した（乙４）。
　また、株式会社フィールドハウスは、株式会社テスートに対し「ＬＥ　ＭＡＮＳ」ブランドのネクタイ５，０００本についての発注書を２０１３年１２月７日に発行した（乙５及び乙６）。
４　株式会社テスートは、「ＬＥ　ＭＡＮＳ」ブランドのネクタイ５，１４０本を生産し、２０１４年２月５日に納品した（乙６）。なお、５０００本の発注に対し、実際には５，１４０本を生産・納品したのは、不良品が生じて取り替える場合を考慮したものである。また、乙第７号証は、「ＬＥ　ＭＡＮＳ」ブランドのネクタイである。
　株式会社テスートは、２０１４年２月２８日付で株式会社フィールドハウスに対し請求書を発行し（乙８）、株式会社フィールドハウスの安住氏は２０１４年５月１０日に送金処理を行った。
５　また株式会社フィールドハウスは、２０１４年２月２０日に株式会社イトーヨーカ堂の各店舗に対して「ＬＥ　ＭＡＮＳ」ブランドのネクタイ約３，７００本を納品した。例えば、株式会社イトーヨーカ堂川越店には、「ＬＥ　ＭＡＮＳ」ブランドのネクタイを１８本納品した（乙９）。そして株式会社フィールドハウスは、２０１３年１２月２０１４年１１月までの間に、株式会社イトーヨーカ堂に対し、「ＬＥ　ＭＡＮＳ」ブランドのネクタイ２，６６７本を販売した（乙１０）。
６　以上の通り、本件商標の商標権者である被請求人から許諾を受けた通常使用権者であるフィールドハウスが、本審判請求の登録前３年以内に日本国内において、その請求に係る指定商品のうち、ネクタイについて本件商標を使用している。
第４　当審の判断
１　被請求人の提出に係る乙各号証及び同人の主張によれば、以下の事実を認めることができる。
（１）乙第１号証は、株式会社イトーヨーカ堂が株式会社フィールドハウスに対して２０１４年２月６日付けで発行した「委託商品発注書」であり、売場分類欄に「０６４紳士ネクタイ＆小物」、品揃え分類欄に「７３８８紳士ネクタイ」、品番欄に「７１０４」の記載があり、また、商品名欄に「Ｅルマン　ネクタイ」の記載があるほか、「数量：５，０００」、「初回予定日：２０１４年２月２０日」、「初回投入予定数：３，９００」、「予定店舗数：１５５」、「発注期間：２０１４年２月２０日〜２０１４年４月３０日」の記載があり、単品コード、コード（色／サイズ）、名称等を項目として２０行に渡ってそれぞれ対応した数字が記入され、例えば、３行目の行には、「４５−６２２６４−６９７６４−９」、「０１０」、「０１−００２」及び「赤Ｏ」の記載と数量「１７０」、原価単価「８３０．００」、売価単価「２，０８９」の記載があることから、株式会社イトーヨーカ堂が株式会社フィールドハウスに対して２０１４年２月２０日を初回納品予定とする商品名「Ｅルマン」のネクタイを５，０００本発注し、各規格毎に単品コード等が付されていこととが認められる。
（２）乙第３号証は、「商標使用権契約書」とされるものであり、２０１３年１２月１日付けで、ケントジャパン株式会社（本件商標権者）を甲、株式会社フィールドハウス（以下「使用者」という。）を乙とし、甲より乙に対し本件商標の通常使用権を許諾するとの記載があり、期間（第１条）として２０１３年１２月１日〜２０１４年１１月３０日、本件商標として「ＬＥ　ＭＡＮＳ」、指定商品　第２５類「ネクタイ」、商標登録番号９７１８２０号及び本件通常使用権の範囲として日本国とするものである。
（３）乙第４号証は、株式会社フィールドハウスの安住氏から株式会社テスートの砂金氏宛に送られたメールを打ち出したものであり、「Ｓｅｎｔ：Ｗｅｄｎｅｓｄａｙ，Ｄｅｃｅｍｂｅｒ　０４，２０１３　３：４１ＡＭ」及び「Ｓｕｂｊｅｃｔ：５０００本口のブランドネーム、ブランド下げ札の件」に続いて「砂金様　５０００本のブランドネーム、ブランド下げ札の件ですが、データ送ります。中国で、つくっていただきたい。宜しくお願いいたします。　（株）フィールドハウス　安住」と記載され、２葉目には、上段に「ＬＥ　ＭＡＮＳ」と大きく記載され、その下に「■下げ札プラン」として「ＬＥ　ＭＡＮＳ」を表記した長方形の裏表の図、「■織りネームプラン」として「ＬＥ　ＭＡＮＳ」を含む長方形の４図形が記載されていることから、使用者が株式会社テスートに対し、下げ札及び織りネームに「ＬＥ　ＭＡＮＳ」を付したネクタイ５，０００本の受注を申し入れたことが認められる。
（４）乙第５号証は、２０１３年１２月７日に株式会社フィールドハウスが株式会社テスートに対する、商品名を「ＬＥ　ＭＡＮＳ」とする商品の発注書と認められるところ、１葉目の一覧表中、数量を「１７０」と記載された行に「赤Ｏ」の文字、これと対応する下げ札状の枠内に表されたバーコードの上に「赤Ｏ」、バーコードの下に「４５６２２６４６９７６４９」、「￥１，９９０」及び「（税込　￥２，１４９）」と記載され、同枠外に「Ｎｏ．３−１９０枚」と記載されており、バーコードの下の数字が上記（１）の委託商品発注書（乙１）の単品コードと一致し、乙第５号証における各数量の合計が５，０００となることから、株式会社フィールドハウスが株式会社イトーヨーカ堂からの発注（乙１）に対応した発注であると認められる。
（５）乙第６号証は、株式会社テスートが株式会社フィールドハウスあてに２０１４年１２月５日に発行した受注証明書と認められるところ、証明内容として、「下記の通り、ネクタイの生産を受注したことを、証明致します。」とし、「ブランド名：ＬＥ　ＭＡＮＳ（ルマン）　ネクタイ」、「本数：５，０００本」、「単価：＠５００−」、「受注日：２０１３年１２月７日」及び「納品日：２０１４年２月５日」と記載されていることが認められる。
（６）乙第７号証は、撮影日を「２０１５年１月１３日」とする「ＬＥ　ＭＡＮＳ」と表示された下げ札及び織りネームが付されたネクタイの写真と認められるところ、この下げ札及び織りネームの態様は、乙第４号証に添付された下げ札及び織りネームの態様と一致する。
（７）乙第９号証は、「納品書（控）」であり、「発注日」の欄に「１４０２１１」、「納品日」の欄に「１４０２２０」の記載があり、左上の欄に、社名「イトーヨーカドー」及び店名「カワゴエ」と記載され、右上に取引先名として「フィールドハウス」の記載がある。
　また、１葉目の商品欄等の表中には、その４行目に、「品名・規格」の項目に「０６４−７３８８　７１０４　７２５９」及び「Ｅルマン　ネクタイ」の記載、「商品コード」の項目に「０４５６２２６４６９７６４９」の記載、「色／入数」及び「サイズ／ケース」の項目に「レッドＯ　フリー」及び「フリー　１」の記載があり、これらは、株式会社イトーヨーカ堂が使用者に対して発行した委託商品発注書（乙１）の単品コードと、また、株式会社テスートに対する株式会社イトーヨーカ堂からの発注（乙１）に対応した発注書（乙５）とも一致するものである。
２　上記１及び被請求人の主張を総合すれば、次のとおり認めることができる。
（１）　本件商標の通常使用権者について
　２０１３年１２月１日付けで、本件商標権者は、使用者に対し、商品「ネクタイ」について、期間を２０１３年１２月１日〜２０１４年１１月３０日とする本件商標の通常使用権を許諾したことが認められるから、２０１３年１２月１日以降の要証期間において、使用者は、本件商標の通常使用権者であるということができる（乙３）。
（２）　使用商標、使用商品及び使用時期について
　ア　株式会社イトーヨーカ堂は、使用者に対し、２０１４年２月６日付けで、初回投入（仕入）予定数３，９００本、初回予定日を２０１４年２月１０日とする商品名「Ｅルマン」とするネクタイ５，０００本を発注した（乙１）。
　この委託商品発注書には、発注した個別商品の単品コード、コード（色／サイズ）、名称等が記載されている。
　イ　使用者は、上記アの発注書に先駆けて、２０１３年１２月４日に株式会社テスートに対し「ＬＥ　ＭＡＮＳ」の商標を表示するための下げ札及び織りネームの製作依頼をメールで行い（乙４）、２０１３年１２月７日付けで、２０１４年２月５日を納品予定日とし、商品名を「ＬＥ　ＭＡＮＳ」とする発注書（乙５）を発行しており、この発注書に記載された下げ札状の枠内に表されたバーコードの上の「赤Ｏ」、バーコードの下の「４５６２２６４６９７６４９」が、株式会社イトーヨーカ堂が使用者に発行した委託商品発注書（乙１）に記載の単品コード、名称等の記載と一致することから、乙第１号証及び乙第５号証が、商品名を「ＬＥ　ＭＡＮＳ」とするネクタイ５，０００本の受注に関する取引書類と認められる。
　ウ　そして、２０１４年２月２０日を納品日とする使用者から株式会社イトーヨーカ堂川越店への納品書（控）（乙９）にも、品名を「Ｅルマン　ネクタイ」とする商品コード「４５６２２６４６９７６４９」により特定された商品が納品されており、株式会社イトーヨーカ堂が使用者使用者に発行した委託商品発注書（乙１）に記載の単品コードと一致することから、使用者が株式会社イトーヨーカ堂に商品「ネクタイ」を２０１４年２月２０日に販売したものと認められる。
　また、使用者が株式会社イトーヨーカ堂に納品するために製造を依頼したメールの添付データ（乙４）、ブランド名を「ＬＥ　ＭＡＮＳ」とするネクタイ５，０００本の受注証明書（乙６）及び要証期間外ではあるが「ＬＥ　ＭＡＮＳ」の商標が付されたネクタイの写真（乙７）を併せみれば、使用者は株式会社イトーヨーカ堂に対し「ＬＥ　ＭＡＮＳ」の商標を付した商品「ネクタイ」を販売したことが推認されるところ、該商標は、その文字構成に照らし、本件商標と社会通念上同一の商標と認められる。
　エ　以上によれば、被請求人が提出した証拠によって、通常使用権者である使用者は、要証期間内である平成２６年２月２０日に、本件審判の請求に係る指定商品中、「ネクタイ」に本件商標と社会通念上同一の商標を付して譲渡したといえ、これは、商標法第２条第３項第２号にいう行為に該当するものと認められる。
３　請求人の主張について
　請求人は、本件審判請求前の使用調査の内容からも、また、「納品書（控）」（乙９）の作成者が被請求人の関連会社である株式会社フィールドハウスであること等からしても、実際の商品の譲渡・販売があったことを客観的に裏付ける証拠とはなり得ない。
　例えば、「商品受領書」、「請求書」、「代金支払書」等々の証拠が提出されるべきであるが、これらは一切、提出されていないから、単に乙第９号証の「納品書（控）」のみの証拠をもって、「ネクタイ」が実際に納品、譲渡されたのか疑わしい旨の主張をしている。
　しかし、使用者である株式会社フィールドハウスが被請求人の関連会社であるとしても、その他具体的な証拠が無い限り、そのことのみもって提出された乙各号証の信憑性がないとはいえないし、請求人のいう「商品受領書」等の提出がないとしても、提出された他の証拠と併せみれば、株式会社イトーヨーカ堂からの発注（乙１）から使用者の納品（乙９）に至るまでの一連の取引を十分推認できることは、上記２のとおりであるから、請求人の主張は採用することができない。
４　まとめ
　以上のとおり、被請求人は、本件審判の請求の登録前３年以内に日本国内において、通常使用権者がその請求に係る指定商品中の「ネクタイ」について、本件商標と社会通念上同一の商標を使用していたことを証明したものということができる。
　したがって、本件商標の登録は、商標法第５０条の規定により、取り消すことはできない。
　よって、結論のとおり審決する。